(57)【特許請求の範囲】
【請求項１】
複数枚のカードを上下方向に集積収納するカード収納部と、
このカード収納部の下部域でカード集積方向と交差する方向に移動可能に設けられ、カード収納部に集積収納されている最下位のカードの後端縁に係合する第１の係合部、およびこの第１の係合部よりカード繰出方向の前方位置に設けられた第２の係合部を有し、これら係合部に係合するカードを押し出す押出部材と、
この押出部材で押し出されるカードの１枚のみの通過を許容するゲート手段と、
前記カードの繰出異常を検知する異常検知手段と、
この異常検知手段による繰出異常の検知時に、前記押出部材による押出動作を再試行させる制御手段と
を具備していることを特徴とするカード繰出装置。
【請求項２】
押出部材の第１の係合部および第２の係合部はカードの後端縁が係合する段差であるとともに、第２の係合部の段差は第１の係合部の段差より大きい
ことを特徴とする請求項１記載のカード繰出装置。
【発明の詳細な説明】
【０００１】
【発明の属する技術分野】
本発明は、カード収納部にカードを上下方向に集積状態で収納し、最下位のカードから順に１枚ずつ繰り出すカード繰出装置に関する。
【０００２】
【従来の技術】
従来、例えば、磁気カード、ＩＣカード、パチンコ用のカード状特殊景品などのカードを繰り出すカード繰出装置では、複数枚のカードを上下方向に集積収納するカード収納部、このカード収納部の下部域を略水平方向に移動可能に設けられ最下位のカードを略水平方向つまりカード繰出方向に押し出す押出部材、およびこの押出部材で押し出されるカードの１枚のみの通過を許容するゲート部を有している。
【０００３】
そして、カード繰出時に、押出部材がカード繰出方向へ移動する際、押出部材に設けられた押出段差が最下位のカードの後端縁に係合し、この押出部材で押し出される最下位のカードのみがゲート部を通過し、最下位のカードが繰り出される。
【０００４】
【発明が解決しようとする課題】
ところで、押出部材の押出段差は、カード繰出時に最下位のカード上にある次位のカードに係合することがないように、カード１枚分の厚みより小さく、約０．２〜０．５ｍｍ程度の極めて小さい寸法に設定される。そのため、カード繰出途中において、わずかな振動や、カードの先端がゲート部で挟持されることによる抵抗などにより、押出段差と最下位のカードの後端縁との係合が外れ、カードの繰出不良が発生することがある。このような場合、押出部材による押出動作の再試行により、繰出途中のカードを押出段差で再び係合して押し出そうとするが、このカードの前端側がゲート部に挟持されており、後端側が浮き上がっていたりして必ずしも係合せず、カードが中途半端な位置で停止してしまい、メカダウンすることがある。
【０００５】
特に、カード収納部内のカードの残枚数が少ない場合や、カードが反るなどの変形している場合には、押出段差と最下位のカードとの係合が外れる可能性が高くなるうえ、再試行時には最下位のカードに係合しにくくなる。
【０００６】
なお、集積収納されたカード上におもりを載置する方法もあるが、カード収納部内におけるカード収納量が減少したり、カードの補充作業時に邪魔になるという問題がある。
【０００７】
本発明は、このような点に鑑みなされたもので、カードを確実に繰り出すことができるカード繰出装置を提供することを目的とする。
【０００８】
【課題を解決するための手段】
請求項１記載のカード繰出装置は、複数枚のカードを上下方向に集積収納するカード収納部と、このカード収納部の下部域でカード集積方向と交差する方向に移動可能に設けられ、カード収納部に集積収納されている最下位のカードの後端縁に係合する第１の係合部、およびこの第１の係合部よりカード繰出方向の前方位置に設けられた第２の係合部を有し、これら係合部に係合するカードを押し出す押出部材と、この押出部材で押し出されるカードの１枚のみの通過を許容するゲート手段と、前記カードの繰出異常を検知する異常検知手段と、この異常検知手段による繰出異常の検知時に、前記押出部材による押出動作を再試行させる制御手段とを具備しているものである。
【０００９】
そして、通常の繰出動作時には、押出部材がカード繰出方向に移動する際に、押出部材の第１の係合部がカード収納部に集積収納されている最下位のカードの後端縁に係合して押し出し、この押し出されるカードをゲート手段で１枚に制限する。この通常の繰出動作時には、押出部材の第２の係合部は作用しない。また、異常検知手段で繰出異常を検知した場合には、押出部材による押出動作の再試行を実行し、このとき、途中まで繰り出されているカードがあれば、押出部材の第２の係合部が繰出途中のカードの後端縁に係合して押し出す。
【００１０】
請求項２記載のカード繰出装置は、請求項１記載のカード繰出装置において、押出部材の第１の係合部および第２の係合部はカードの後端縁が係合する段差であるとともに、第２の係合部の段差は第１の係合部の段差より大きいものである。
【００１１】
そして、押出部材の第１の係合部および第２の係合部はカードの後端縁が係合する段差であるとともに、第２の係合部の段差は第１の係合部の段差より大きくできるので、繰出異常時における押出動作の再試行により、押出部材の第２の係合部が繰出途中のカードの後端縁に確実に係合し、カードを繰り出す。
【００１２】
【発明の実施の形態】
以下、本発明の一実施の形態を図面を参照して説明する。
【００１３】
カード繰出装置は、例えば、予め複数枚のカードＣを収納しておき、外部からの指示に基づいてカードＣを１枚ずつ繰り出して販売するカード販売機などに搭載される。
【００１４】
図１ないし図３において、カード繰出装置は、カードＣを収納するカード収納部11、およびこのカード収納部11が着脱可能に装着されてカードＣをカード繰出方向Ｆへ向けて繰り出すカード繰出装置本体12を有している。なお、カード繰出方向Ｆを前方、カード繰出方向Ｆと反対方向を後方として説明する。
【００１５】
カード収納部11は、図３に示すように、複数枚のカードＣを上下方向に集積状態で収納可能なカード収納空間21を有するカード収納箱22を有し、このカード収納箱22のカード繰出方向Ｆと反対の後面には、カードＣをカード収納空間21に補充するカード補充口23が形成されているとともに、このカード補充口23を開閉する補充扉24が取り付けられている。
【００１６】
カード収納部11内の後面下部位置には、下端が前方へ傾斜する傾斜部25が形成され、この傾斜部25により、カード収納部11内に収納されるカードＣのうち、繰り出されようとする最下位のカードＣおよび最下位近傍のカードＣを前方へ向けて斜めにずらすことによって、繰出動作を確実なものとしている。
【００１７】
カード収納部11の前面下部位置には、カードＣが通過可能なカード繰出口26が形成され、このカード繰出口26にはシャッタ部材27が取り付けられている。シャッタ部材27は、カード繰出口26からのカードＣの繰り出しを阻止する閉鎖位置と、上方に退避してカードＣの繰出を許容する開放位置との間を移動可能に支持され、閉鎖位置へ向けてばね付勢されている。そして、カード収納部11がカード繰出装置本体12から取り外された状態においてはばね付勢によってシャッタ部材27が閉鎖位置をとり、カード繰出装置本体12に装着されると、カード繰出装置本体12側の上部ゲート部材67によってシャッタ部材27が開放位置へ押し上げられる。
【００１８】
カード収納部11の底面28は、内部に装填されるカードＣを支持するものであるが、カード繰出装置本体12側の押出部材47が進入して移動する押出部材用開口部29、カード繰出装置本体12側の売切検知レバー83が進入する売切検知レバー用開口部30、カード繰出装置本体12側の下部ゲート部材68が進入する下部ゲート部材用開口部31がそれぞれ形成されている。
【００１９】
カード収納部11の両側面には底面28より下方まで延設された延設部32が形成され、カード収納部11がカード繰出装置本体12の上面に載置された際、両延設部32がカード繰出装置本体12を両側に係合して幅方向に位置決めされる。
【００２０】
また、カード繰出装置本体12は、図２および図３に示すように、基台40上に配置されており、カード繰出装置本体12の両側方位置および前寄り位置に、両側面部41および前面部42を有する略コの字型のガイド板43が立設され、このガイド板43によってカード収納部11が着脱可能に装着される装着部44が構成されている。
【００２１】
カード繰出装置本体12は、箱体45を有し、この箱体45の上面がカード収納部11を載置する載置面46として構成されている。
【００２２】
カード繰出装置本体12の後端近傍から中間位置近傍にかけて、押出部材47が前後方向に移動可能に配置されている。この押出部材47は、載置面46に前後方向に沿って形成された押出部材用開口部48を通じてカード繰出装置本体12の上面から突出されており、上面後側には、前下がりする第１の傾斜面49a、およびこの第１の傾斜面49aの後方位置から上方に突出して１枚のカードＣの後端縁に係合可能とする第１の係合部としての第１の押出段差50aが形成され、また、上面前側には、前下がりする第２の傾斜面49b、およびこの第２の傾斜面49bの後方位置すなわち第２の傾斜面49bと第１の傾斜面49aとの間の段差であってカードＣの後端縁に係合可能とする第２の係合部としての第２の押出段差50bが形成されている。
【００２３】
第１の押出段差50aは、カード繰出時に最下位のカード上にある次位のカードに係合することがないように、カード１枚分の厚みより小さく、例えば０．２〜０．５ｍｍ程度の極めて小さい寸法に設定されている。第２の押出段差50bは、第１の押出段差50aより大きく、確実にカードＣの後端縁に係合できる大きさである例えば２〜３ｍｍ程度に形成されている。また、第２の押出段差50bが設けられる位置は、図１(a)に示すように、押出部材47が待機位置にあるときに、カード収納部11内のカードＣの後端位置よりカード繰出方向Ｆに約１０ｍｍ程度ずれた位置となっている。
【００２４】
第１の押出段差50aの後方で押出部材47の両側には、押出部材47の上面より例えば１ｍｍ程度突出する支持ローラ51が回転可能に取り付けられている。
【００２５】
押出部材47は、カード繰出装置本体12内で前後方向に延設されるガイド棒52に沿って前後方向に移動可能なスライド部材53に支持され、さらに繰出駆動モータ54の駆動によりリンク機構55を介して前後方向に移動される。
【００２６】
リンク機構55は、第１のリンク56および第２のリンク57を有し、第１のリンク56の下端がカード繰出装置本体12内で支軸58によって前後方向に揺動可能に軸支され、第１のリンク56の上端がスライド部材53のピン59に長孔60を介して係合され、さらに、第２のリンク57の後端が第１のリンク56の中間部にピン61を介して回動自在に連結され、第２のリンク57の前端が繰出駆動モータ54の駆動により回転される駆動プーリ62の偏心位置にピン63を介して連結されている。
【００２７】
そして、繰出駆動モータ54が駆動されることにより、スライド部材53がガイド棒52に沿って前後方向に移動し、このスライド部材53に連結される押出部材47が前後方向つまり略水平方向に移動される。押出部材47は、その第１の押出段差50aがカード収納部11内の傾斜部25より後方に位置する待機位置（図１(a)に示す位置）と、前方へ所定距離、例えば２５ｍｍ程度移動した繰出位置（図３に示す位置）との間を往復運動される。
【００２８】
押出部材47が待機位置にあることを検知するために、スライド部材53の検知片53aを検知する位置決め検知センサ64を備えている。
【００２９】
また、カード繰出装置本体12の上面の前端近傍には、ガイド板43の前面部42の下端とカード繰出装置本体12の上面との間にカード繰出開口部66が形成され、このカード繰出開口部66の上部にガイド板43側に設けられた上部ゲート部材67が配置されているとともに、下部に下部ゲート部材68が配置され、これら上部ゲート部材67と下部ゲート部材68とで協同してゲート手段としてのゲート部69が構成されている。
【００３０】
下部ゲート部材68は、カード繰出装置本体12の上面の下部ゲート部材用開口部70を通じて突出され、下部ゲート部材68の上面より例えば１ｍｍ程度突出する２個のガイドローラ71が前後に並んでそれぞれ回動自在に取り付けられている。前側のガイドローラ71の上面と上部ゲート部材67との間には、カードＣが１枚だけ通過可能な間隙が形成されており、カードＣの２枚出しを阻止するように構成されている。
【００３１】
また、カード繰出開口部66の前方下側には搬送ローラ73が回転自在に軸支され、この搬送ローラ73と一体に回転する従動プーリ74と駆動プーリ62との間にベルト75が張設されている。繰出駆動モータ54の駆動により、押出部材47の移動と同時に、搬送ローラ73がカード繰出方向Ｆに対応して、つまり図２時計回り方向に回転駆動される。
【００３２】
搬送ローラ73の上方には、ガイド板43の前面部42の前側に位置して、対向ローラ76が配置され、この対向ローラ76を回転自在に軸支した軸支部材77が前面部42に取り付けられたガイド筒78内に上下方向に移動可能に配置されている。軸支部材77はばね79によって対向ローラ76が搬送ローラ73に接触する方向に付勢されている。
【００３３】
また、カード繰出装置本体12の上面であって、押出部材47の移動範囲および下部ゲート部材68を避けた位置に売切検知スイッチ81が配置されている。この売切検知スイッチ81は、カード繰出装置本体12の上面に形成された売切検知レバー用開口部82を通じて上方へ突出する突出位置と押し下げられた退避位置との間を移動可能に支持されるとともに突出位置へ向けて付勢される売切検知レバー83を有し、この売切検知レバー83が突出位置と退避位置のいずれの位置にあるか検出するように構成されている。
【００３４】
また、ゲート部69のカード繰出方向Ｆの外方には、カードＣの繰出異常を検知する異常検知手段としての繰出検知センサ85が配置されている。繰出検知センサ85は、光学式センサであり、カード繰出動作時に、繰り出されるカードＣによって繰出検知センサ85が遮光され、所定時間以内に透光状態に戻ればカードＣが正常に繰り出されたと判断され、また、遮光状態にならない場合や、遮光状態が所定時間以上継続した場合は、繰出異常と判断される。
【００３５】
また、図４にカード繰出装置のブロック図を示し、カード繰出装置を制御する制御手段91には、位置決め検知センサ64、売切検知センサ81および繰出検知センサ85が接続されているとともに、繰出駆動モータ54が接続されている。
【００３６】
制御手段91は、この繰出駆動モータ54の駆動を制御して押出部材47による押出動作を実行する機能、繰出検知センサ85の検知に基づいてカードＣの繰出異常を判断する異常判断手段の機能、繰出異常の検知時に押出部材47による押出動作を再試行させる機能、再試行を所定回数繰り返すとともに所定回数繰り返しても繰出異常が検知されるときには繰出異常としてカード繰出動作を中止する機能、押出部材47による押出動作の再試行回数をカウントするカウンタの機能を有している。
【００３７】
次に、カード繰出装置の作用を説明する。
【００３８】
カード収納部11が装着されていない状態において、図２に示すように、押出部材47は後方の待機位置にあり、売切検知スイッチ81の売切検知レバー83は突出位置にある。カードＣを収納したカード収納部11がカード繰出装置本体12に装着されると、押出部材47の前寄り部分と下部ゲート部材68がカード収納部11内に進入し、内部のカードＣを若干持ち上げる。カードＣによって売切検知レバー83が下方へ押動されてカード有りが検知される。さらに、ガイド板43に形成される上部ゲート部材67の作用により、カード収納部11のシャッタ部材27が開放される。
【００３９】
さらに、待機状態においては、図１(a)に示すように、後方の待機位置にある押出部材47の第１の押出段差50aは集積されたカードＣの後端縁よりカード繰出方向Ｆと反対側の後方に後退した位置にあり、第２の押出段差50bは集積されたカードＣの下方に位置している。
【００４０】
そして、カード繰出装置によるカード繰出動作を、図５のフローチャートを参照して説明する。
【００４１】
制御手段91では、売切検知スイッチ81の検知に基づいて、カード有りを確認すれば（ステップ１）、押出部材47による押出動作の再試行回数Ｎをカウントするカウンタの値を０にクリアする（ステップ２）。
【００４２】
そして、制御手段91へのカード繰出指令が入力されることにより（ステップ３）、制御手段91の制御でカード繰出動作を実行する（ステップ４）。
【００４３】
すなわち、図２に示すように、カード繰出装置本体12の繰出駆動モータ54が駆動され、リンク機構55の作用により押出部材47がカード繰出方向Ｆに移動し、押出部材47の第１の押出段差50aが最下位のカードＣの後端縁に係合してカード繰出方向Ｆに押し出す。押し出されるカードＣは、前端近傍が下部ゲート部材68の支持ローラ71に支持されながら、カード収納部11のカード繰出口26およびゲート部69を通じて前方へ移動される。このとき、支持ローラ71が回転するので、カードＣが摩擦を受けず、摩耗するのを防止できる。
【００４４】
繰出駆動モータ54の駆動に伴って搬送ローラ73が回転（図２中、時計回り方向）しており、カードＣが正常に押し出されれば、このカードＣが搬送ローラ73と対向ローラ76とによって挟持搬送され、繰り出される。繰り出されるカードＣは、繰出検知センサ85で検知される。
【００４５】
押出部材47によって最下位のカードＣが押し出されると、次位のカードＣおよびその上に集積されるカードＣが押出部材47に持ち上げられる。このとき、次位のカードＣの下面が押出部材47の支持ローラ51によって支持されており、押出部材47が移動すると支持ローラ51が回転するので、次位のカードＣの下面が摩擦を受けず、摩耗を防止できる。
【００４６】
押出部材47は押出位置に達した後、後方の待機位置まで後退する。押出部材47が後退する際にも、新しく最下位になったカードＣは押出部材47の支持ローラ51によって支持されており、前進時と同様にカードＣの下面が摩擦を受けず、摩耗を防止できる。
【００４７】
押出部材47が待機位置に戻ったことが位置決め検知センサ64によって検知されると（ステップ５）、繰出駆動モータ54が停止され、押出部材47による押出動作の再試行回数Ｎをカウントするカウンタの値に１を加算する（ステップ６）。
【００４８】
カード繰出動作時に、繰り出されるカードＣによって繰出検知センサ85が遮光され、所定時間以内に透光状態に戻れば、カードＣが正常に繰り出されたものと判断され（ステップ７）、繰出動作が完了する。
【００４９】
このように、カードＣが正常に繰り出された場合には、押出部材47の第２の押出段差50bは全く作用しない。
【００５０】
カード収納部11内の最後のカードＣが繰り出された場合には、売切検知レバー83が突出位置をとり、カード無し（売り切れ）が検出される。カード収納部11が取り付けられていない場合も同様にカード無し（売り切れ）が検出される。
【００５１】
また、押出部材47がカード繰出方向Ｆに前進して最下位のカードＣを押し出す途中において、例えば、振動や、図１(b)に示すように、ゲート部69を通過して押し出されるカードＣの先端が搬送ローラ73に当ったはずみなどで、押出部材47の第１の押出段差50aと最下位のカードＣの後端縁との係合が外れる場合がある。このように、押出途中において、第１の押出段差50aと最下位カードＣの係合が外れてカードＣが繰り出されなかった場合などには、図１(c)に示すように、押出部材47が往復移動したにもかかわらず、繰出検知センサ85が遮光されないことによって繰出異常が検出される。
【００５２】
繰出異常の発生が検出された場合には、押出部材47による押出動作の再試行回数Ｎをカウントするカウンタの値が所定回数、例えば４回に達したか判断され（ステップ８）、達していなければ、繰出駆動モータ54が再び駆動され、押出部材47がカード繰出方向Ｆへ移動して押出動作が再試行される。
【００５３】
押出動作の再試行により、図１(c)に示すように、カード繰出方向へ移動する押出部材47の第２の押出段差50bが途中まで繰り出されているカードＣの後端縁に係合し、このカードＣが押し出され、搬送ローラ73と対向ローラ76とで挟持搬送され、繰り出される。このとき、第２の押出段差50bは落差が大きいので、カードＣが反っていたり、後端が多少浮き上がっていても、確実にカードＣの後端に係合できるとともに、多少の振動では係合がはずれることがなく、確実にカードＣを押し出すことができる。次位のカードＣの後端は、第２の押出段差50bより後方に位置しているため、第２の押出段差50bによって次位のカードＣが押し出されることはない。
【００５４】
押出動作の再試行時に、第１の押出段差50aが次位のカードＣの後端縁に係合してこのカードＣを押し出そうとしても、ゲート部69には最下位のカードＣが進入した状態にあり、次位のカードＣはゲート部69に進入することができない。そのため、第１の押出段差50aと次位のカードＣの後端の係合が外れて、第２の押出段差50bによる最下位のカードの押し出しのみが継続される。
【００５５】
１回の押出動作の再試行によって、カードＣの繰出が正常化されない場合は、予め設定される所定回数まで押出動作の再試行が繰り返される。再試行を所定回数繰り返しても正常化されない場合は、押出動作が停止され（ステップ９）、カード繰出装置が搭載されるカード販売機などの図示しない表示手段などでエラー表示される（ステップ10）。
【００５６】
なお、カードＣが噛み込んでしまって押出部材47が動けない状態になれば、繰出駆動モータ54の加熱や部品の損傷を回避するために直ぐに停止される。停止してしまうと、カード収納部11を取り外して、詰まったカードＣを係員が手作業によって取り除いて復旧が図られる。
【００５７】
このように、通常の繰出動作時には、押出部材47の第１の係合部50aがカード収納部11に集積収納されている最下位のカードＣの後端縁に係合して押し出し、この押し出されるカードＣをゲート部69で１枚に制限し、また、繰出異常を検知した場合には、押出部材47による押出動作の再試行を実行し、このとき、途中まで繰り出されているカードＣがあれば、押出部材47の第２の係合部50bが繰出途中のカードＣの後端縁に係合して押し出すことができ、そのため、カードＣの残り枚数が少なくなったり、カードＣが多少変形していても、カードＣを確実に繰り出すことができる。
【００５８】
また、押出部材47の第１の係合部50aおよび第２の係合部50bはカードＣの後端縁が係合する段差であるとともに、第２の係合部50bの段差は第１の係合部50aの段差より大きくできるので、繰出異常時における押出動作の再試行により、押出部材47の第２の係合部50bが繰出途中のカードＣの後端縁に確実に係合し、カードＣを確実に繰り出すことができる。
【００５９】
また、カードが多少変形していても確実にカードを繰り出すことができるうえに、摩擦式と違ってカードＣの表面状態の影響を受けにくいので、リサイクル使用されるカードＣを繰り出す使用形態に好適である。
【００６０】
さらに、おもりなどの他の部材を追加しないので、カードＣの補充作業の障害になったり、コストアップを招いたりすることがない。
【００６１】
【発明の効果】
請求項１記載のカード繰出装置によれば、通常の繰出動作時には、押出部材の第１の係合部がカード収納部に集積収納されている最下位のカードの後端縁に係合して押し出し、この押し出されるカードをゲート手段で１枚に制限し、また、異常検知手段で繰出異常を検知した場合には、押出部材による押出動作の再試行を実行し、このとき、途中まで繰り出されているカードがあれば、押出部材の第２の係合部が繰出途中のカードの後端縁に係合して押し出すことができ、そのため、カードの残り枚数が少なくなったり、カードが多少変形していても、カードを確実に繰り出すことができる。
【００６２】
請求項２記載のカード繰出装置によれば、請求項１記載のカード繰出装置の効果に加えて、押出部材の第１の係合部および第２の係合部はカードの後端縁が係合する段差であるとともに、第２の係合部の段差は第１の係合部の段差より大きくできるので、繰出異常時における押出動作の再試行により、押出部材の第２の係合部が繰出途中のカードの後端縁に確実に係合し、カードを確実に繰り出すことができる。
【図面の簡単な説明】
【図１】本発明のカード繰出装置の一実施の形態を示し、(a)は待機状態の断面図、(b)は押出動作時の断面図、(c)は再試行時の断面図である。
【図２】同上カード繰出装置を示し、(a)は断面図、(b)は平面図である。
【図３】同上カード繰出装置にカード収納部を取り付けた状態での繰出動作途中を示し、(a)は断面図、(b)は正面図である。
【図４】同上カード繰出装置のブロック図である。
【図５】同上カード繰出動作のフローチャートである。
【符号の説明】
11    カード収納部
47    押出部材
50a    第１の係合部としての第１の押出段差
50b    第２の係合部としての第２の押出段差
69    ゲート手段としてのゲート部
85    異常検知手段としての繰出検知センサ
91    制御手段
Ｃ    カード
【図１】
0003638507.tif 000002
【図２】
0003638507.tif 000003
【図３】
0003638507.tif 000004
【図４】
0003638507.tif 000005
【図５】
0003638507.tif 000006